(57)【要約】【課題】入力ソースの異なる映像の視認性の向上を図ることができる電子機器及び表示制御方法を提供することである。【解決手段】実施形態に係る電子装置は、第１の受信手段と、第２の受信手段と、生成手段と、出力手段とを備える。前記第１の受信手段は、第１の情報及び動画データを受信する。前記第２の受信手段は、第２の情報を受信する。前記生成手段は、前記第１の情報に基づく第１のフレームを生成し、前記動画データに基づく動画フレームを生成し、前記動画フレームを含む前記第１のフレームにより構成される第２のフレームを生成し、前記第２の情報に基づく第３のフレームを生成し、前記第３のフレームは前記動画フレームと異なる領域に配置されるフレームであって、前記動画フレームと前記第３のフレームとを含む第４のフレームを生成する。前記出力手段は、前記第２のフレームを表示するための第１の映像表示情報及び前記第４のフレームを表示するための第２の映像表示情報を選択的に出力する。【選択図】図４
2014123800.tif 000002
【特許請求の範囲】
【請求項１】
第１の情報及び動画データを受信する第１の受信手段と、
第２の情報を受信する第２の受信手段と、
前記第１の情報に基づく第１のフレームを生成し、前記動画データに基づく動画フレームを生成し、前記動画フレームを含む前記第１のフレームにより構成される第２のフレームを生成し、前記第２の情報に基づく第３のフレームを生成し、前記第３のフレームは前記動画フレームと異なる領域に配置されるフレームであって、前記動画フレームと前記第３のフレームとを含む第４のフレームを生成する生成手段と、
前記第２のフレームを表示するための第１の映像表示情報及び前記第４のフレームを表示するための第２の映像表示情報を選択的に出力する出力手段と、
を備える電子機器。
【請求項２】
前記出力手段は、前記第１の情報及び前記動画データの受信に対応して、前記第１の映像表示情報を出力する請求項１の電子機器。
【請求項３】
前記出力手段は、前記第１の情報、前記動画データ、及び前記第２の情報の受信に対応して、前記第２の映像表示情報を出力する請求項１又は２の電子機器。
【請求項４】
前記出力手段は、前記第１の情報及び前記動画データを受信し、前記第２の情報を受信しない場合に、前記第１の映像表示情報を出力し、前記第１の映像表示情報の出力中に、前記第２の情報を受信した場合に、前記第１の映像表示情報を前記第２の映像表示情報へ切り替えて出力する請求項１乃至３の何れか１つの電子機器。
【請求項５】
前記生成手段は、前記第４のフレームの中で、前記動画フレームと前記第２のフレームとを重ならない領域に配置する請求項１乃至４の何れか１つの電子機器。
【請求項６】
前記生成手段は、前記第４のフレームの中で、前記動画フレームと重ならない領域のサイズに応じて、前記第３のフレームのサイズを決定する請求項１乃至５の何れか１つの電子機器。
【請求項７】
前記入力手段は、第１の表示形式の指定入力を受け付け、
前記出力手段は、前記第１の表示形式の指定入力に対応して、前記第４の映像表示情報を出力する請求項１乃至６の何れか１つの電子機器。
【請求項８】
前記入力手段は、第２の表示形式の指定入力を受け付け、
前記生成手段は、少なくとも一部が重なるように配置された前記動画フレームと前記第３のフレームとを含む第５のフレームを生成し、
前記出力手段は、前記第２の表示形式の指定入力に対応して、前記第５の映像表示情報を出力する請求項１乃至７の何れか１つの電子機器。
【請求項９】
第１の情報及び動画データを受信する第１の受信手段と、
第２の情報を受信する第２の受信手段と、
前記第１の情報に基づく第１のフレームを生成し、前記動画データに基づく動画フレームを生成し、前記動画フレームを含む前記第１のフレームにより構成される第２のフレームを生成し、前記第２の情報に基づく第３のフレームを生成し、前記第３のフレームは前記動画フレームと異なる領域に配置されるフレームであって、前記動画フレームと前記第３のフレームとを含む第４のフレームを生成する生成手段と、
前記第２のフレームを表示するための第１の映像表示情報及び前記第４のフレームを表示するための第２の映像表示情報を選択的に出力する出力手段と、
入力を受け付ける入力手段と、
を備え、
前記生成手段は、前記第４のフレームに対する前記入力に対応し、前記第４のフレームを変更した変更フレームを生成し、前記変更フレームは、前記動画フレームと前記第３のフレームを含み、前記第３のフレームは前記動画フレームと異なる領域に再配置されるフレームであり、
前記出力手段は、前記変更フレームを表示するための第３の映像表示情報を出力する電子機器。
【請求項１０】
前記入力手段は、スクロール操作、フリック操作、又はスワイプ操作に対応する入力を受け付ける請求項９の電子機器。
【請求項１１】
前記第１の受信手段は、外部装置に対して第１のアドレスを指定し、指定した第１アドレスに対応する前記第１の情報を受信し、前記外部装置に対して第２のアドレスを指定し、指定した第２アドレスに対応する前記第３の情報を受信し、
前記生成手段は、前記第３の情報に基づき前記変更フレームを生成する請求項９の電子機器。
【請求項１２】
前記第１の受信手段は、ストリーミング再生データに対応する前記動画データを受信する請求項１乃至１１の何れか１つの電子機器。
【請求項１３】
前記第１の受信手段は、外部装置に対してアドレスを指定し、指定したアドレスに対応する前記第１の情報を受信し、
前記第２の受信手段は、放送信号に対応する前記第２の情報を受信する請求項１乃至１２の何れか１つの電子機器。
【請求項１４】
前記映像表示情報を表示する表示手段を備える請求項１乃至１３の何れか１の電子機器。
【請求項１５】
第１の受信手段から第１の情報及び動画データを受信し、
前記第１の情報に基づく第１のフレームを生成し、前記動画データに基づく動画フレームを生成し、前記動画フレームを含む前記第１のフレームにより構成される第２のフレームを生成し、
前記第２のフレームを表示するための第１の映像表示情報を出力し、
第２の受信手段から第２の情報を受信し、
前記第２の情報に基づく第３のフレームを生成し、前記第３のフレームは前記動画フレームと異なる領域に配置されるフレームであって、前記動画フレームと前記第３のフレームとを含む第４のフレームを生成し、
前記第４のフレームを表示するための第２の映像表示情報を出力する表示制御方法。
【発明の詳細な説明】
【技術分野】
【０００１】
本発明の実施形態は、電子機器及び表示制御方法に関する。
【背景技術】
【０００２】
近年、デジタルＴＶの普及が目覚ましい。デジタルＴＶは、放送信号を受信し、放送信号に基づき番組を再生したり、番組を記録したりすることができる。さらに、デジタルＴＶは、ネットワーク接続手段及びBrowserを備え、インターネットを介して得られる情報を表示することもできる。デジタルＴＶだけでなく、パーソナルコンピュータ等でも、放送信号に基づく番組の記録、再生、及びインターネットを介して得られる情報の表示が可能となっている。
【０００３】
例えば、放送信号に基づく番組の再生画面中に、インターネットを介して得られる情報を表示する技術が提案されている。つまり、番組の再生画面の一部に重ねて、インターネットを介して得られる情報を小画面で表示する技術が提案されている。
【先行技術文献】
【特許文献】
【０００４】
【特許文献１】特表２００４−５１６７２２号公報
【発明の概要】
【発明が解決しようとする課題】
【０００５】
インターネットを介して得られる情報は文字情報を含むことが多く、小画面で表示する場合、文字情報等が見難くなることがある。番組の再生画面の一部に表示する小画面のサイズを大きくすることにより、小画面中の文字情報等は見易くなるが、番組の再生画面が見難くなることがある。
【０００６】
本発明の目的は、入力ソースの異なる映像の視認性の向上を図ることができる電子機器及び表示制御方法を提供することである。
【課題を解決するための手段】
【０００７】
実施形態に係る電子装置は、第１の受信手段と、第２の受信手段と、生成手段と、出力手段とを備える。前記第１の受信手段は、第１の情報及び動画データを受信する。前記第２の受信手段は、第２の情報を受信する。前記生成手段は、前記第１の情報に基づく第１のフレームを生成し、前記動画データに基づく動画フレームを生成し、前記動画フレームを含む前記第１のフレームにより構成される第２のフレームを生成し、前記第２の情報に基づく第３のフレームを生成し、前記第３のフレームは前記動画フレームと異なる領域に配置されるフレームであって、前記動画フレームと前記第３のフレームとを含む第４のフレームを生成する。前記出力手段は、前記第２のフレームを表示するための第１の映像表示情報及び前記第４のフレームを表示するための第２の映像表示情報を選択的に出力する。
【図面の簡単な説明】
【０００８】
【図１】第１〜第３の実施形態に係るデジタルテレビジョン放送受信装置（電子機器）の概略構成の一例を示す図である。
【図２】第１の実施形態に係る表示制御の一例を示すフローチャートである。
【図３】第１の実施形態に係る画面遷移の一例を示す図である。
【図４】第１の実施形態に係る画面遷移の一例を示す図である。
【図５】第２の実施形態に係る画面遷移の一例を示す図である。
【図６】第２の実施形態に係る画面遷移の一例を示す図である。
【図７】第２の実施形態に係る表示制御の一例を示すフローチャートである。
【図８】第３の実施形態に係る画面遷移の一例を示す図である。
【図９】第３の実施形態に係る画面遷移の一例を示す図である。
【図１０】第１〜第３の実施形態に係る通信端末（電子機器）の概略構成の一例を示す図である。
【発明を実施するための形態】
【０００９】
以下、第１〜第３の実施形態について図面を参照して説明する。
【００１０】
図１は、第１〜第３の実施形態に係るデジタルテレビジョン放送受信装置（電子機器）の概略構成の一例を示す図である。図１に示すデジタルテレビジョン放送受信装置は、第１〜第３の実施形態における共通のハードウェアの一例である。本実施形態では、映像表示部１４を備えた電子機器について説明するが、映像表示部１４は必須構成ではない。例えば、電子機器がデジタルレコーダ又はコンピュータの本体等の場合には、電子機器は映像表示部１４を備えず、各種ケーブル等を介して、外部の映像表示部に対して表示情報を出力する。
【００１１】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１２】
そして、このチューナ４９で選択された放送信号は、ＰＳＫ（phase shift keying）復調器５０に供給されて、デジタルの映像信号及び音声信号に復調された後、信号処理部５１に出力される。
【００１３】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１４】
そして、このチューナ５４で選択された放送信号は、ＯＦＤＭ（orthogonal frequency division multiplexing）復調器５５に供給されて、デジタルの映像信号及び音声信号に復調された後、上記信号処理部５１に出力される。
【００１５】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調器５７に供給されてアナログの映像信号及び音声信号に復調された後、上記信号処理部５１に出力される。
【００１６】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００１７】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１８】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００１９】
このうち、グラフィック処理部５８は、信号処理部５１から供給されるデジタルの映像信号に、ＯＳＤ（on screen display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力を組み合わせて出力することができる。
【００２０】
そして、グラフィック処理部５８から出力されたデジタルの映像信号は、映像処理部６２に供給される。映像処理部６２により処理された映像信号は、映像表示部１４に供給され、また出力端子にも供給される。映像表示部１４は、映像信号に基づく映像を表示し、出力端子に対して外部機器が接続されると、出力端子に供給された映像信号は、外部機器へ入力される。
【００２１】
また、上記音声処理部５９は、入力されたデジタルの音声信号を、前記スピーカ１５で再生可能なアナログ音声信号に変換した後、スピーカ１５に出力して音声出力させるとともに、出力端子を介して外部に導出させる。
【００２２】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報（コード）に基づき、操作内容が反映されるように各部をそれぞれ制御している。
【００２３】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２４】
また、上記制御モジュール６５は、通信Ｉ／Ｆ７３を介して情報を送受信することができる。さらに、上記制御モジュール６５は、ＵＳＢ Ｉ／Ｆ７６を介してＵＳＢ対応機器（例えば外付けＨＤＤ１０２）と情報伝送を行なうことができる。
【００２５】
さらに、上記制御モジュール６５は、不揮発性メモリ６８に記憶された録画予約リストに含まれた録画予約情報を参照し、受信信号に基づくコンテンツ（番組）の録画動作を制御する。録画先としては、例えば内蔵ＨＤＤ１０１、ＵＳＢ端子２４を介して接続された外付けＨＤＤ１０２、ＨＤＭＩ端子を介して接続されたハードディスクレコーダ、ＤＶＤレコーダ、又はブルーレイレコーダがある。
【００２６】
上記制御モジュール６５、信号処理部５１、グラフィック処理部５８、映像処理部６２、不揮発性メモリ６８に記憶されたプログラム（Browser）等（以下、制御モジュール６５等）は、協働して、各種受信データに基づきフレームを生成し、生成したフレームに対応する映像を表示するための映像表示情報を出力する。
【００２７】
例えば、制御モジュール６５等は、通信Ｉ／Ｆ７３を介して、外部装置（外部インターネットサーバ等）と通信し、外部装置に対して第１のアドレス（ＵＲＬ）を指定し、外部装置から前記第１のアドレスに対応する第１の外部データを受信し、第１の外部データに含まれる情報を表示するメインフレーム（第１のフレーム）を生成し、メインフレームを表示するための第１の映像表示情報を出力することができる。これに対応して、映像表示部１４は、メインフレーム（第１のフレーム）に対応する映像を表示する。
【００２８】
さらに、制御モジュール６５等は、メインフレーム等に表示された第２のアドレス（ＵＲＬ）の選択操作に対応して、外部装置に対して選択された第２のアドレス（ＵＲＬ）を指定し、外部装置から第２のアドレスに対応する第２の外部データを受信し、第２の外部データに含まれる情報を表示するメインフレーム（変更フレーム）を表示するための第２の映像表示情報を出力することができる。つまり、第１の映像表示情報に替えて、第２の映像表示情報が出力される。これに対応して、映像表示部１４は、メインフレーム（変更フレーム）に対応する映像を表示する。
【００２９】
さらに、制御モジュール６５等は、各種の複数のサブフレーム（小画面）を含むメインフレームを表示するための映像表示情報の出力（表示）を制御する。上記のサブフレームは、PIP(Picture In Picture)とも呼ばれる。サブフレームとしては、チューナ４９、５４、５６等で受信された放送信号の映像を表示するフレームがある。また、サブフレームとしては、通信Ｉ／Ｆ７３を介して受信された動画データ（ストリーミングデータ）の映像を表示するフレームがある。
【００３０】
例えば、制御モジュール６５等は、動画データの映像を表示する第１のサブフレームを生成し、放送信号の映像を表示する第２のサブフレームを生成し、第１のサブフレームを含むメインフレームを構成し、第１のサブフレームを含むメインフレームに対応する映像を表示するための映像表示情報を出力したり、第１及び第２のサブフレームを含むメインフレームを構成し、第１及び第２のサブフレームを含むメインフレームに対応する映像を表示するための映像表示情報を出力したりすることができる。また、制御モジュール６５は、第１のサブフレームをメインフレームとして出力することもできるし、第２のサブフレームをメインフレームとして出力することもできる。
【００３１】
以下、第１〜第３の実施形態の詳細について説明する。
【００３２】
（第１の実施形態）
図２は、第１の実施形態に係る表示制御の一例を示すフローチャートである。
【００３３】
制御モジュール６５等が、Browserにより動画を再生しているケースを想定する（ＳＴ２０１）。つまり、制御モジュール６５等が、通信Ｉ／Ｆ７３を介して受信された外部データに基づく第１のメインフレームを生成し、さらに、通信Ｉ／Ｆ７３を介して受信された動画データに基づく第１のサブフレームを生成し、第１のサブフレームを含む第２メインフレームを構成し、第２のメインフレームに対応する映像を表示するための第１の映像表示情報を出力するケースを想定する。つまり、ストリーミング再生データ（動画）に対応する第１のサブフレームを含む第２メインフレームに対応する映像が表示されるケースを想定する（ＳＴ２０１）。
【００３４】
制御モジュール６５等が、Browserによる動画再生中（第２のメインフレーム出力中）に、放送番組等の映像をPIP表示する場合、第２のメインフレーム中において、第１のサブフレームと重ならない十分な空き領域が無ければ、第１のサブフレームと重ならない場所にPIP表示できないので（ＳＴ２０２、ＮＯ）、ユーザに対して表示方式の選択を要求する。例えば、制御モジュール６５等は、ポップアップにより、ユーザに対して表示方式の選択を要求する。
【００３５】
例えば、図３のＳＴＡＴＥ３１に示すように、Browserによる動画（第１のサブフレーム）がフル画面で表示される場合、つまり第１のサブフレームがメインフレームとして表示されている場合は、動画（第１のサブフレーム）と重ならない空き領域は無い。よって、ポップアップにより、ユーザに対してPIPの表示又は非表示の選択を要求する。
【００３６】
入力手段としてのリモートコントローラ１７等を介してPIPの表示が選択されると（ＳＴ２０３、ＹＥＳ）、制御モジュール６５等は、図３のＳＴＡＴＥ３２に示すように、Browserによる動画のフル画面中に、放送番組等の映像（第２のサブフレーム）をPIP表示する（ＳＴ２０４）。入力手段としてのリモートコントローラ１７等を介して非表示が選択されると（ＳＴ２０３、ＮＯ）、制御モジュール６５等は、図３のＳＴＡＴＥ３３に示すように、Browserによる動画の再生を継続し、放送番組の映像をPIP表示しない（ＳＴ２０５）。
【００３７】
また、制御モジュール６５等が、Browserによる動画再生中（第２のメインフレーム出力中）に、放送番組の映像（第２のサブフレーム）をPIP表示する場合、第１のサブフレームと重ならない十分な空き領域が有れば、第１のサブフレームと重ならない場所にPIP表示できるので（ＳＴ２０２、ＹＥＳ）、空き領域に放送番組の映像をPIP表示する（ＳＴ２０６）。
【００３８】
例えば、図４のＳＴＡＴＥ４１に示すように、Browserによる動画再生中（第２のメインフレーム出力中）に、Browserによる動画再生フレームと重ならない空き領域があれば、図４のＳＴＡＴＥ４２に示すように、制御モジュール６５等は、この空き領域に、放送番組の映像（第２のサブフレーム）を配置し（第１のサブフレームと第２のサブフレームとを異なる領域に配置し）、第１のサブフレームと第２のサブフレームを含む第３のメインフレームに対応する映像を表示するための映像表示情報を出力（表示）する。これに対応して、映像表示部１４は、第２のメインフレームに対応する映像を表示する。
【００３９】
また、制御モジュール６５等は、第１のサブフレーム（動画）に重ならないように、第２のサブフレーム（放送番組の映像）のサイズを変更し、第１のサブフレームと第２のサブフレームを含む第３のメインフレームに対応する映像を表示するための映像表示情報を出力（表示）する。例えば、制御モジュール６５等は、第１のサブフレームと第２のサブフレームのサイズを調整（変更）して、文字表示領域外に、第１のサブフレームと第２のサブフレームを配置することができる。
【００４０】
また、制御モジュール６５等は、入力手段としてのリモートコントローラ１７等を介した第３のメインフレームに対する操作入力に対応して、第３のメインフレームを変更した変更フレームを生成し、変更フレームに対応する映像を表示するための映像表示情報を出力（表示）する。この場合、制御モジュール６５等は、変更フレーム中の異なる領域に第１のサブフレームと第２のサブフレームとを再配置する。つまり、制御モジュール６５等は、変更フレーム中に、第１のサブフレームと第２のサブフレームとが重ならないように再配置する。
【００４１】
上記した第３のメインフレームに対する入力とは、画面のスクロール操作入力、スワイプ操作（指で画面をタッチしたまま指を上下左右へ動かして画面をスクロールする操作）、フリック操作（画面をタッチした指を上下左右へ動かし最後に画面から指を離して画面をスクロールする操作）、画面中に表示された他のサイトへのアクセス情報（アドレス）の選択入力である。例えば、スクロール操作入力が終わったタイミングで、変更フレーム中に、第１及び第２のフレームを表示するようにしてもよい（ＳＴ２０７）。このとき、空き領域のサイズに合わせて、第１のフレームのサイズを変更して表示するようにしてもよいし、第２のフレームのサイズを変更して表示するようにしてもよい。また、他のサイトへのアクセス情報に基づき変更フレームを表示してから、変更フレーム中に、第１及び第２のフレームを表示するようにしてもよい（ＳＴ２０８）。このとき、空き領域のサイズに合わせて、第１のフレームのサイズを変更して表示するようにしてもよいし、第２のフレームのサイズを変更して表示するようにしてもよい。
【００４２】
以上により、ユーザは、Browserにより再生される動画を見ながら、PIPでON Air中の放送番組等の映像を見ることが可能となり、利便性が広がる。なお、上記説明では、放送番組に対応する映像をサブフレームで出力（表示）するケースについて説明したが、放送番組に対応する映像に替えて、PVR又はその他の外部入力に対応する映像であってもよい。
【００４３】
以下、第１の実施形態についてまとめる。
【００４４】
（１）デジタルテレビジョン放送受信装置１００は、メインフレーム中（Browserによる再生画面中）に、ストリーミング再生に対応する第１のサブフレームと、各種の映像に対応する第２のサブフレームとを表示（ＰＩＰ表示）する場合に、第１のサブフレームに重ならないように、第２のサブフレームを配置し、第１及び第２のサブフレームを含むメインフレームを出力（表示）する。
【００４５】
（２）デジタルテレビジョン放送受信装置１００は、第１のサブフレームと第２のサブフレームのサイズを自動で変更する。例えば、デジタルテレビジョン放送受信装置１００は、空き領域のサイズに合わせて、第２のサブフレームのサイズを調整（変更）する。
【００４６】
（３）デジタルテレビジョン放送受信装置１００は、ユーザによる別のＵＲＬの選択操作（別のリンク先へのジャンプ操作）、又はスクロール操作に対応して、第１のサブフレームと第２のサブフレームとを重ならないように再配置したり、第１のサブフレームと第２のサブフレームとを重ならないように第１のサブフレームのサイズを変更したり、第１のサブフレームと第２のサブフレームとを重ならないように第２のサブフレームのサイズを変更したりして、第１及び第２のサブフレームを含むメインフレームを出力（表示）する。
【００４７】
（４）デジタルテレビジョン放送受信装置１００は、メインフレーム中（Browserによる再生画面中）に空き領域が無い場合、例えば第１のサブフレームが全画面表示されている場合には、表示方式を要求し、入力された表示方式で映像を表示する。例えば、第１のサブフレーム中に第２のサブフレームを表示する表示方式が指定された場合には、第２のサブフレームを含む第１のサブフレームをメインフレームとして表示する。第２のサブフレームを表示しない表示方式が指定された場合には、第２のサブフレームを含まない第１のサブフレームをメインフレームとして表示する。
【００４８】
（第２の実施形態）
制御モジュール６５等が、Browserにより情報を再生しているケースを想定する。つまり、制御モジュール６５等が、通信Ｉ／Ｆ７３を介して受信された外部データに基づく第１のフレームを生成し、第１のフレームをメインフレームとして、第１のフレームに対応する映像を表示するための第１の映像表示情報を出力するケースを想定する。このとき、制御モジュール６５等が、外部要因による入力を検知すると、この入力に対応する第２のフレームの表示を制御する。
【００４９】
例えば、図５のＳＴＡＴＥ５１に示すように、制御モジュール６５等が、Browserによる情報再生中（第１のフレーム出力中）に、外部要因による入力を検知すると、図５のＳＴＡＴＥ５２に示すように、制御モジュール６５等は、外部要因による入力に対応する第２のフレームを生成し、第１のフレーム中に第２のフレームを含めて第３のフレームを生成し、第３のメインフレームに対応する映像を表示するための第２の映像表示情報を出力する。つまり、制御モジュール６５等は、図５のＳＴＡＴＥ５１に示す第１のフレームに対応する映像の表示を、図５のＳＴＡＴＥ５２に示す第３のフレームに対応する映像の表示へ切り換える。
【００５０】
或いは、図６のＳＴＡＴＥ６１に示すように、制御モジュール６５等が、Browserによる情報再生中（第１のメインフレーム出力中）に、外部要因による入力を検知すると、図６のＳＴＡＴＥ６２に示すように、制御モジュール６５等は、選択メニューを出力（表示）する。例えば、選択メニューは、PIPとして表示を指定する第１の項目、Ｍａｉｎ画面に表示を指定する第２の項目、Ｍａｉｎ画面を閉じて表示の第３の項目を含む。
【００５１】
例えば、ユーザが、入力手段としてのリモートコントローラ１７等を介して、第１の項目を選択すると、図６のＳＴＡＴＥ６３に示すように、制御モジュール６５等は、外部要因による入力に対応する第２のフレームを生成し、第１のフレーム中に第２のフレームを含めて第３のフレームを生成し、第３のメインフレームに対応する映像を表示するための第２の映像表示情報を出力する。つまり、制御モジュール６５等は、外部要因による入力に対応する第２のフレームをPIP表示する。
【００５２】
また、ユーザが、入力手段としてのリモートコントローラ１７等を介して、第２の項目を選択すると、図６のＳＴＡＴＥ６４に示すように、制御モジュール６５等は、Browserに対応する第１のフレームを生成し、外部要因による入力に対応する第２のフレームを生成し、第２のフレーム中に第１のフレームを含めて第４のフレームを生成し、第４のフレームに対応する映像を表示するための第３の映像表示情報を出力する。つまり、制御モジュール６５等は、Browserに対応する映像をPIP表示する。言い換えれば、制御モジュール６５等は、メインフレームとサブフレームの関係を入れ替えて出力（表示）する。
【００５３】
また、ユーザが、入力手段としてのリモートコントローラ１７等を介して、第３の項目を選択すると、図６のＳＴＡＴＥ６５に示すように、制御モジュール６５等は、外部要因による入力に対応する第２のフレームを生成し、第２のフレームに対応する映像を表示するための第４の映像表示情報を出力する。言い換えれば、制御モジュール６５等は、第１のフレームと第２のフレームとを入れ替えて出力（表示）する。
【００５４】
ここで、外部要因による入力の例について説明する。
【００５５】
例えば、制御モジュール６５等が、通信通信Ｉ／Ｆ９０（例えばＨＤＭＩ）を介して、ＨＤＭＩ−ＣＥＣ（Consumer Electronics Control）の信号を検出すると、通信Ｉ／Ｆ９０を介して入力されるコンテンツに対応するコンテンツフレームを生成し、Browserに対応するブラウザフレーム中に前記コンテンツフレームを配置し、コンテンツフレームを含むブラウザフレームを出力（表示）する。つまり、通信Ｉ／Ｆ９０を介して接続されたチューナ等の外部機器の電源がオンされると、この外部機器は、電源オン（One Touch Play）に対応するＨＤＭＩ−ＣＥＣの信号を出力し、制御モジュール６５等は、電源オンに対応するＨＤＭＩ−ＣＥＣの信号を検出し、メインフレーム中（ブラウザフレーム中）に、各種通信Ｉ／Ｆ９０を介して入力されるコンテンツに対応するコンテンツフレームをPIP表示する。或いは、制御モジュール６５等は、ブラウザフレームとコンテンツフレームとの関係を入れ替えて出力（表示）する。或いは、制御モジュール６５等は、ブラウザフレームをコンテンツフレームへ切り替えて出力（表示）する。
【００５６】
また、制御モジュール６５等が、通信Ｉ／Ｆ９０（MHL（Mobile High-definition Link））を介して入力されるコンテンツに対応するコンテンツフレームを生成し、Browserに対応するブラウザフレーム中に前記コンテンツフレームを配置し、コンテンツフレームを含むブラウザフレームを出力（表示）する。つまり、通信Ｉ／Ｆ９０を介して接続された外部機器の電源オン等に対応し、メインフレーム中（ブラウザフレーム中）に、各種通信Ｉ／Ｆ９０を介して入力されるコンテンツに対応するコンテンツフレームをPIP表示する。或いは、制御モジュール６５等は、ブラウザフレームとコンテンツフレームとの関係を入れ替えて出力（表示）する。或いは、制御モジュール６５等は、ブラウザフレームをコンテンツフレームへ切り替えて出力（表示）する。
【００５７】
また、制御モジュール６５等が、通信Ｉ／Ｆ９０（ＬＡＮ Ｉ／Ｆ）を介して入力されるコンテンツ（DMS（Digital Media Server）からのコンテンツ）に対応するコンテンツフレームを生成し、Browserに対応するブラウザフレーム中に前記コンテンツフレームを配置し、コンテンツフレームを含むブラウザフレームを出力（表示）する。つまり、メインフレーム中（ブラウザフレーム中）に、各種通信Ｉ／Ｆ９０を介して入力されるコンテンツに対応するコンテンツフレームをPIP表示する。或いは、制御モジュール６５等は、ブラウザフレームとコンテンツフレームとの関係を入れ替えて出力（表示）する。或いは、制御モジュール６５等は、ブラウザフレームをコンテンツフレームへ切り替えて出力（表示）する。
【００５８】
また、制御モジュール６５等が、通信Ｉ／Ｆ９０（無線ＬＡＮ Ｉ／Ｆ）を介して入力されるコンテンツ（WiDi（Wireless Display）搭載の外部装置からのコンテンツ）に対応するコンテンツフレームを生成し、Browserに対応するブラウザフレーム中に前記コンテンツフレームを配置し、コンテンツフレームを含むブラウザフレームを出力（表示）する。つまり、メインフレーム中（ブラウザフレーム中）に、各種通信Ｉ／Ｆ９０を介して入力されるコンテンツに対応するコンテンツフレームをPIP表示する。或いは、制御モジュール６５等は、ブラウザフレームとコンテンツフレームとの関係を入れ替えて出力（表示）する。或いは、制御モジュール６５等は、ブラウザフレームをコンテンツフレームへ切り替えて出力（表示）する。
【００５９】
また、制御モジュール６５等が、通信Ｉ／Ｆ９０（無線ＬＡＮ Ｉ／Ｆ）を介して、Wi-Fi（Wireless Fidelity） Displayに対して、上記したコンテンツフレームを含むブラウザフレームを出力（表示）する。或いは、制御モジュール６５等が、通信Ｉ／Ｆ９０（無線ＬＡＮ Ｉ／Ｆ）を介して、Wi-Fi Displayに対して、上記したように、ブラウザフレームとコンテンツフレームとの関係を入れ替えて出力（表示）する。或いは、制御モジュール６５等が、通信Ｉ／Ｆ９０（無線ＬＡＮ Ｉ／Ｆ）を介して、Wi-Fi Displayに対して、ブラウザフレームをコンテンツフレームへ切り替えて出力（表示）する。
【００６０】
以上により、ユーザは、Browser画面を見ながら（Browser画面を消さずに）、外部要因で入力されたコンテンツに対応する画面も見ることができる。また、ユーザは、外部要因で入力されたコンテンツの表示方法を選択することもでき、表示の選択が広がる。
【００６１】
以下、第２の実施形態についてまとめる。
【００６２】
（１）デジタルテレビジョン放送受信装置１００は、Browser画面をメイン画面として表示し、外部要因で入力されたコンテンツに対応する画面をサブ画面として表示することができる。つまり、デジタルテレビジョン放送受信装置１００は、Browser画面としてのメイン画面中に、外部要因で入力されたコンテンツの画面をPIP表示することができる。
【００６３】
（２）デジタルテレビジョン放送受信装置１００は、Browser画面をメイン画面として表示し、外部要因で入力されたコンテンツに対応する画面をサブ画面として表示する第１の表示方式、Browser画面をサブ画面として表示し、外部要因で入力されたコンテンツに対応する画面をメイン画面として表示する第２の表示方式、及び外部要因で入力されたコンテンツに対応する画面をメイン画面として表示する第３の表示方式を選択可能にすることができる。
【００６４】
（第３の実施形態）
制御モジュール６５等が、Browserにより情報を再生し、且つ放送番組等を再生するケースを想定する。つまり、制御モジュール６５等が、通信Ｉ／Ｆ７３を介して受信された外部データに基づく第１のフレームを生成し、放送番組等に対応する第２のフレームを生成し、第１のフレームの一部に第２のフレームを含めて第３のフレームを生成し、条件に応じて、第１のフレームに対応する映像を表示するための映像表示情報を出力（表示）したり、第３のフレームに対応する映像を表示するための映像表示情報を出力（表示）したりする。つまり、制御モジュール６５等は、条件に応じて、放送番組等のPIP表示の実行を制御する。
【００６５】
図７に示すフローチャートを参照し、放送番組等のPIP表示の実行制御について説明する。
【００６６】
例えば、ユーザは、入力手段としてのリモートコントローラ１７等を介して、本編放送中にPIP表示する（第１の条件）、本編放送中にPIP表示しない（第２の条件）、CM放送中にPIP表示する（第３の条件）、CM放送中にPIP表示しない（第４の条件）、本編放送中にPIP表示に対応する音声をミュートする（第５の条件）、本編放送中にPIP表示に対応する音声をミュートしない（第６の条件）、CM放送中にPIP表示に対応する音声をミュートする（第７の条件）、CM放送中にPIP表示に対応する音声をミュートしない（第８の条件）を設定することができる。不揮発性メモリ６８は、上記設定を記憶する。なお、第１〜第８の条件のうちのいくつかを採用するようにしてもよい。
【００６７】
例えば、第１、第４、第６、第７の条件が設定されている場合、制御モジュール６５等は、放送番組の本編検出中に、放送番組（本編）のPIP表示を含むブラウザ映像（第３のフレームに対応する映像を表示するための映像表示情報）を出力し、放送番組（本編）に対応する音声も出力する。制御モジュール６５等が、放送番組のCMを検出すると、放送番組（CM）のPIP表示を含まないブラウザ映像（第１のフレームに対応する映像を表示するための映像表示情報）を出力し（ＳＴ７３１）（図８のＳＴＡＴＥ８１）、放送番組（CM）に対応する音声を停止する（ＳＴ７３２）。再び、制御モジュール６５等が、放送番組の本編（又はCM終了）を検出すると、放送番組（本編）のPIP表示を含むブラウザ映像（第３のフレームに対応する映像を表示するための映像表示情報）を出力し（ＳＴ７３４）（図８のＳＴＡＴＥ８２）、放送番組（本編）に対応する音声も出力する。
【００６８】
例えば、第１、第４、第６、第８の条件が設定されている場合、制御モジュール６５等は、放送番組の本編検出中に、放送番組（本編）のPIP表示を含むブラウザ映像（第３のフレームに対応する映像を表示するための映像表示情報）を出力し、放送番組（本編）に対応する音声も出力する。制御モジュール６５等が、放送番組のCMを検出すると、放送番組（CM）のPIP表示を含まないブラウザ映像（第１のフレームに対応する映像を表示するための映像表示情報）を出力し（ＳＴ７３１）、放送番組（CM）に対応する音声を出力する（ＳＴ７３３）。再び、制御モジュール６５等が、放送番組の本編（又はCM終了）を検出すると、放送番組（本編）のPIP表示を含むブラウザ映像（第３のフレームに対応する映像を表示するための映像表示情報）を出力し（ＳＴ７３４）、放送番組（本編）に対応する音声も出力する。
【００６９】
例えば、第２、第３、第５、第７の条件が設定されている場合、制御モジュール６５等は、放送番組の本編検出中に、放送番組（本編）のPIP表示を含まないブラウザ映像（第１のフレームに対応する映像を表示するための映像表示情報）を出力し、放送番組（本編）に対応する音声を出力しない。制御モジュール６５等が、放送番組のCMを検出すると、放送番組（CM）のPIP表示を含むブラウザ映像（第３のフレームに対応する映像を表示するための映像表示情報）を出力し（ＳＴ７４１）（図９のＳＴＡＴＥ９１）、放送番組（CM）に対応する音声を出力しない（ＳＴ７４２）。リモートコントローラ１７等を介して、PIP表示が選択されずに（ＳＴ７４４、ＮＯ）、再び、制御モジュール６５等が、放送番組の本編（又はCM終了）を検出すると、放送番組（本編）のPIP表示を含まないブラウザ映像（第１のフレームに対応する映像を表示するための映像表示情報）を出力し（ＳＴ７３５）（図９のＳＴＡＴＥ９２）、放送番組（本編）に対応する音声を出力しない。リモートコントローラ１７等を介して、PIP表示が選択されると（ＳＴ７４４、ＹＥＳ）、制御モジュール６５は、ｗｅｂ検索処理を実行する（ＳＴ７４６）。例えば、制御モジュール６５は、ｗｅｂ検索の画面を出力したり、或いは放送番組に含まれる情報に基づき自動的にｗｅｂ検索を実行し、ｗｅｂ検索結果の画面を出力したりする。
【００７０】
例えば、第２、第３、第５、第８の条件が設定されている場合、制御モジュール６５等は、放送番組の本編検出中に、放送番組（本編）のPIP表示を含まないブラウザ映像（第１のフレームに対応する映像を表示するための映像表示情報）を出力し、放送番組（本編）に対応する音声を出力しない。制御モジュール６５等が、放送番組のCMを検出すると、放送番組（CM）のPIP表示を含むブラウザ映像（第３のフレームに対応する映像を表示するための映像表示情報）を出力し（ＳＴ７４１）、放送番組（CM）に対応する音声を出力する（ＳＴ７４３）。リモートコントローラ１７等を介して、PIP表示が選択されずに（ＳＴ７４４、ＮＯ）、再び、制御モジュール６５等が、放送番組の本編（又はCM終了）を検出すると、放送番組（本編）のPIP表示を含まないブラウザ映像（第１のフレームに対応する映像を表示するための映像表示情報）を出力し（ＳＴ７３５）、放送番組（本編）に対応する音声を出力しない。リモートコントローラ１７等を介して、PIP表示が選択されると（ＳＴ７４４、ＹＥＳ）、制御モジュール６５は、ｗｅｂ検索処理を実行する（ＳＴ７４６）。例えば、制御モジュール６５は、ｗｅｂ検索の画面を出力したり、或いは放送番組に含まれる情報に基づき自動的にｗｅｂ検索を実行し、ｗｅｂ検索結果の画面を出力したりする。
【００７１】
或いは、ユーザは、リモートコントローラ１７等を介して、ユーザ操作の学習結果に基づきPIP表示する（第１の条件）、ユーザ操作の学習結果に基づきPIP表示しない（第２の条件）、ユーザ操作の学習結果に基づきPIP表示に対応する音声をミュートする（第３の条件）、ユーザ操作の学習結果に基づきPIP表示に対応する音声をミュートしない（第４の条件）を設定することができる。例えば、ユーザが、リモートコントローラ１７等を介して、バラエティ番組を選択し、PIPの非表示を設定した場合、制御モジュール６５等は、これら操作を学習し、バラエティの番組を検出した場合に、PIPを非表示とする。また、ユーザが、リモートコントローラ１７等を介して、ドラマの番組を選択し、PIPの表示を設定した場合、制御モジュール６５等は、これら操作を学習し、ドラマの番組を検出した場合に、PIPを表示する。不揮発性メモリ６８は、上記設定を記憶する。なお、第１〜第４の条件のうちのいくつかを採用するようにしてもよい。
【００７２】
例えば、第２、第３の条件が設定されている場合、制御モジュール６５等は、バラエティ以外の番組を検出中に、放送番組のPIP表示を含むブラウザ映像（第３のフレームに対応する映像を表示するための映像表示情報）を出力し、放送番組に対応する音声も出力する。制御モジュール６５等が、バラエティの番組を検出すると、放送番組のPIP表示を含まないブラウザ映像（第１のフレームに対応する映像を表示するための映像表示情報）を出力し（ＳＴ７１１）、放送番組に対応する音声を停止する（ＳＴ７１２）。再び、制御モジュール６５等が、バラエティ以外の番組を検出すると、放送番組のPIP表示を含むブラウザ映像（第３のフレームに対応する映像を表示するための映像表示情報）を出力し（ＳＴ７１４）、放送番組に対応する音声も出力する。
【００７３】
例えば、第２、第４の条件が設定されている場合、制御モジュール６５等は、バラエティ以外の番組を検出中に、放送番組のPIP表示を含むブラウザ映像（第３のフレームに対応する映像を表示するための映像表示情報）を出力し、放送番組に対応する音声も出力する。制御モジュール６５等が、バラエティの番組を検出すると、放送番組のPIP表示を含まないブラウザ映像（第１のフレームに対応する映像を表示するための映像表示情報）を出力し（ＳＴ７１１）、放送番組に対応する音声を出力する（ＳＴ７１３）。再び、制御モジュール６５等が、バラエティ以外の番組を検出すると、放送番組のPIP表示を含むブラウザ映像（第３のフレームに対応する映像を表示するための映像表示情報）を出力し（ＳＴ７１４）、放送番組に対応する音声も出力する。
【００７４】
例えば、第１、第３の条件が設定されている場合、制御モジュール６５等は、ドラマ以外の番組を検出中に、放送番組のPIP表示を含まないブラウザ映像（第１のフレームに対応する映像を表示するための映像表示情報）を出力し、放送番組に対応する音声を出力しない。制御モジュール６５等が、ドラマの番組を検出すると、放送番組のPIP表示を含むブラウザ映像（第３のフレームに対応する映像を表示するための映像表示情報）を出力し（ＳＴ７２１）、放送番組に対応する音声を出力しない（ＳＴ７２２）。リモートコントローラ１７等を介して、PIP表示が選択されずに（ＳＴ７２４、ＮＯ）、再び、制御モジュール６５等が、ドラマ以外の番組を検出すると、放送番組のPIP表示を含まないブラウザ映像（第１のフレームに対応する映像を表示するための映像表示情報）を出力し（ＳＴ７２５）、放送番組に対応する音声を出力しない。リモートコントローラ１７等を介して、PIP表示が選択されると（ＳＴ７２４、ＹＥＳ）、制御モジュール６５は、ｗｅｂ検索処理を実行する（ＳＴ７２６）。例えば、制御モジュール６５は、ｗｅｂ検索の画面を出力したり、或いは放送番組に含まれる情報に基づき自動的にｗｅｂ検索を実行し、ｗｅｂ検索結果の画面を出力したりする。
【００７５】
例えば、第１、第４の条件が設定されている場合、制御モジュール６５等は、ドラマ以外の番組を検出中に、放送番組のPIP表示を含まないブラウザ映像（第１のフレームに対応する映像を表示するための映像表示情報）を出力し、放送番組に対応する音声を出力しない。制御モジュール６５等が、ドラマの番組を検出すると、放送番組のPIP表示を含むブラウザ映像（第３のフレームに対応する映像を表示するための映像表示情報）を出力し（ＳＴ７２１）、放送番組に対応する音声を出力する（ＳＴ７２３）。リモートコントローラ１７等を介して、PIP表示が選択されずに（ＳＴ７２４、ＮＯ）、再び、制御モジュール６５等が、ドラマ以外の番組を検出すると、放送番組のPIP表示を含まないブラウザ映像（第１のフレームに対応する映像を表示するための映像表示情報）を出力し（ＳＴ７２５）、放送番組に対応する音声を出力しない。リモートコントローラ１７等を介して、PIP表示が選択されると（ＳＴ７２４、ＹＥＳ）、制御モジュール６５は、ｗｅｂ検索処理を実行する（ＳＴ７２６）。例えば、制御モジュール６５は、ｗｅｂ検索の画面を出力したり、或いは放送番組に含まれる情報に基づき自動的にｗｅｂ検索を実行し、ｗｅｂ検索結果の画面を出力したりする。
【００７６】
なお、周知技術を利用し、放送信号に含まれる音声信号の切り換わりを検出し、この音声信号の切り換わり検出から、ＣＭ開始、ＣＭ終了、本編開始、本編終了等を検出することができる。その他の周知技術を利用し、ＣＭ開始、ＣＭ終了、本編開始、本編終了等を検出してもよい。
【００７７】
以上により、ユーザは、適切なタイミングで、PIP表示を見ることができる。常時、PIP表示を出力し続けているとBrowser画面の情報量が低下するが、適切なタイミングでPIP表示が出力されるので、PIP表示が出力されていない間は、Browser画面で十分な情報を見ることができる。
【００７８】
以下、第３の実施形態についてまとめる。
【００７９】
（１）デジタルテレビジョン放送受信装置１００は、Browser画面をメイン画面として表示し、適切なタイミングで、放送番組等をサブ画面としてBrowser画面中にPIP表示する。例えば、デジタルテレビジョン放送受信装置１００は、本編が放送されている間、放送番組に対応する映像をPIP表示し、CMが放送されている間、放送番組に対応する映像を非表示にする。つまり、デジタルテレビジョン放送受信装置１００は、本編とCMの切り換わりに応じて、PIP表示又はPIP非表示を切り替える。
【００８０】
（２）デジタルテレビジョン放送受信装置１００は、適切なタイミングで、放送番組等に対応する音声を出力したり、音声出力を停止したりする。例えば、デジタルテレビジョン放送受信装置１００は、本編が放送されている間、放送番組に対応する音声を出力し、CMが放送されている間、放送番組に対応する音声の出力を停止する。つまり、デジタルテレビジョン放送受信装置１００は、本編とCMの切り換わりに応じて、音声出力又は音声出力停止を切り替える。
【００８１】
（３）デジタルテレビジョン放送受信装置１００は、ユーザが故意にPIP表示したり、PIP非表示にしたりする操作を学習し、ユーザの操作無しで学習結果を利用しPIP表示及びPIP非表示を切り替える。
【００８２】
（４）デジタルテレビジョン放送受信装置１００は、ユーザが故意に放送番組に対応する音声を出力したり、音声の出力を停止したりする操作を学習し、ユーザの操作無しで学習結果を利用し音声の出力及び音声の出力停止を切り替える。
【００８３】
（５）デジタルテレビジョン放送受信装置１００は、PIP表示から簡単にWeb検索を実行することができる。
【００８４】
上記説明では、第１、第２、第３の実施形態を実現するためのデジタルテレビジョン放送受信装置（電子機器）１００について説明したが、図１０に示す通信端末（電子機器）で実現することも可能である。通信端末２００は、タブレットＰＣ、スマートフォン等である。
【００８５】
図１０に示すように、通信端末２００は、制御モジュール２０１、記憶部２０２、通信部２０３、表示部２０４、入力部２０５を備える。制御モジュール２０１は、制御モジュール６５等に対応し、PIP表示等を制御する。記憶部２０２は、各種制御プログラム（Browser）を記憶する。通信部２０３は、無線通信等により、外部装置（外部インターネットサーバ等）と通信し、外部装置に対してアドレス（ＵＲＬ）を指定し、外部装置からアドレスに対応する外部データを受信し、表示部２０４は、外部データに含まれる情報を表示するメインフレームを生成し、メインフレームに対応する映像を表示する。また、通信部２０３は、無線通信等により、デジタルテレビジョン放送受信装置（電子機器）１００と通信し、放送番組等のコンテンツを受信し、表示部２０４は、コンテンツに対応するサブフレームを生成し、サブフレームをPIP表示する。つまり、表示部２０４は、コンテンツに対応するサブフレームを含むメインフレームを表示する。入力部２０５は、例えば、表示部２０４に対応するタッチパネル等で構成され、表示部２０４に表示された各種情報に対するタッチ入力を受け付ける。
【００８６】
上記通信端末２００は、Wi-Fi（Wireless Fidelity）等の通信エリア内であれば、通信エリア内のアクセスポイントを介して外部サーバ等と通信することができる。つまり、通信端末２００は、Wi-Fi等の通信エリア外では、上記外部サーバ等と通信することはできない。例えば、通信部２０３が、通信エリア内のアクセスポイントと通信を開始（再開）すると、制御モジュール２０１は、Open Browser使用可能のメッセージの表示を指示し、これに対応して、表示部２０４は、「Open Browser使用可能」を表示する。
【００８７】
例えば、通信端末２００を所持したユーザが、通信エリア内で通信端末２００のBrowserを利用している状況を想定する。このユーザが、移動によりWi-Fi等の通信エリア外に出てしまうと、通信端末２００のBrowserは実質的に使用できなくなる。さらに、通信端末２００を所持したユーザが、移動してWi-Fi等の通信エリア内に入ると、通信部２０３が、通信エリア内のアクセスポイントと通信を開始し、制御モジュール２０１が、Open Browser使用可能のメッセージの表示を指示し、表示部２０４は、「Open Browser使用可能」を表示する。これにより、ユーザは、使用不能（一時的に使用不能）となっていたBrowser（Open Browser）が使用可能（再度使用可能）となったことを知ることができる。
【００８８】
なお、上記したモジュールとは、ハードウェアで実現するものであっても良いし、ＣＰＵ等を使ってソフトウェアで実現するものであってもよい。
【００８９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９０】
１４…映像表示部、６５…制御モジュール、１００…デジタルテレビジョン放送受信装置、２００…通信端末、２０１…制御モジュール
【図１】
2014123800.tif 000003
【図２】
2014123800.tif 000004
【図３】
2014123800.tif 000005
【図４】
2014123800.tif 000006
【図５】
2014123800.tif 000007
【図６】
2014123800.tif 000008
【図７】
2014123800.tif 000009
【図８】
2014123800.tif 000010
【図９】
2014123800.tif 000011
【図１０】
2014123800.tif 000012